(57)【要約】【課題】本発明は、挿管装置に関するもので、より詳細には、患者に人工呼吸を実施する時容易に挿管を行うことができるようにカメラを備えた使い捨て挿管装置に関するものである。【解決手段】本発明に係る使い捨て挿管装置は、挿管チューブと、挿管チューブの中空に挿入されて挿管チューブの挿管を容易にするための中空のガイドチューブを含む。挿管チューブは、開放された両端部を有する中空のチューブであり、一端部に前記中空にガスを供給するための外部機器と接続するためのアダプターが固定されている。ガイドチューブは開放された第１端部及び第２端部を有し、前記挿管チューブに挿入され、第２端部が前記アダプター外側に露出されるように配置されている。本発明に係る使い捨て挿管装置は、挿管チューブのアダプターと取り外し可能に接続されてあるガイドチューブを利用して、挿管チューブの挿管を容易にするためのレセプタクルを含む。また、ガイドチューブを口腔内に挿入するとき、声帯と気管支を施術者が識別できるようにガイドチューブの第１端部に設置されたレンズと、レンズの後方に設置されたカメラモジュールを含む。カメラモジュールは、ＵＳＢケーブルで接続されており、ＵＳＢケーブル端子はガイドチューブの第２端部に露出するように配置されている。レンズはガイドチューブの第１端部側末端部にガイドチューブの中空を密封するように設置されている。【選択図】図１
2019509115.tif 000002
【特許請求の範囲】
【請求項１】
開放された両端部を有する中空のチューブ形状であり、前記中空にガスを供給するための外部機器と接続するために一端部に固定されたアダプターを含む挿管チューブと、
開放された第１端部及び第２端部を有し、前記挿管チューブに挿入され、第２端部が前記アダプター外側に露出されるように配置されており、前記挿管チューブよりも長さが長く、直径が小さい中空のガイドチューブと、
中空のシリンダー形状として、一端が開放され前記アダプターと分離可能に結合されており、他端の中心部に前記ガイドチューブの第２端部が通過して露出するように配置されたレセプタクルと、
前記ガイドチューブの第１端部側末端部にガイドチューブの中空を密封するように設置されたレンズと、前記レンズの後方にあるガイドチューブの内部に設置されたカメラモジュールと、一端が前記カメラモジュールと電気的に接続され、ガイドチューブの中空を通過して第２端部側に露出するように配置されたＵＳＢケーブルとを含み、
前記ガイドチューブは、第１端部を一定の角度以上に曲げる場合、曲がる形を維持することができる程度の炭素性を備える素材からなる使い捨て挿管装置。
【請求項２】
前記ガイドチューブの第２端部側に固定されたハンドルをさらに含む請求項１に記載の使い捨て挿管装置。
【請求項３】
前記レセプタクルは、外周面に中空の内部と連通するように突出形成されたサクションニップルをさらに含む請求項１に記載の使い捨て挿管装置。
【請求項４】
前記ガイドチューブはアルミニウム合金から成り立ち、第１端部が拡管され、拡管された部分にカメラモジュールが装着された請求項１に記載の使い捨て挿管装置。
【発明の詳細な説明】
【技術分野】
【０００１】
本発明は、挿管装置に関するもので、より詳細には、患者に人工呼吸を実施するために容易に挿管できる使い捨て挿管装置に関するものである。
【背景技術】
【０００２】
手術のために患者に全身麻酔をしたり、事故等によって意識不明の状態にある患者や、自発呼吸が困難な重症患者に、人工呼吸を実施するために器官に挿管をする。
【０００３】
従来、人工呼吸のために挿管を行うとき喉頭鏡が使用される。喉頭鏡は、患者の器官内にチューブを挿入するために患者を寝かせ頭部を傾斜させた後、口腔に挿入して施術者が喉頭の声帯を確認して、声帯の間にチューブを挿管するために使用される。
【０００４】
しかし、患者の意識があるときは喉頭鏡を使用することが非常に難しく、患者の首に問題がある場合、頭部を後ろに傾けることも危険な場合がある。口と顎が小さい患者、首の短い患者である場合も喉頭鏡を使用して挿管することが難しい。また、喉頭鏡を使用した場合、歯が丈夫ではない人は歯が折れる心配がある。
【０００５】
喉頭鏡の代わりに内視鏡を使用して挿管を行うこともできる。しかし、内視鏡は、価格が高く、内視鏡を使用するためには、特別な手先の器用さを必要とし、専門的な使い方を学ぶ必要がある。
【０００６】
また、喉頭鏡を使用して、患者の口腔内に挿管するために施術者が片手で喉頭鏡を保持し、残りの片手で挿管を行う。患者の口腔内での出血が発生したり、患者の口腔内の分泌物が多かったりする場合、患者の口腔内にある異物を除去するために吸引を行わなければならない。この場合、施術者が単独で異物を除去しながら挿管を行うことができない。内視鏡を使用して挿管をする場合も、口腔内の異物を除去する場合に施術者が単独で、口腔内の異物を除去しながら挿管を行うことができない。
【０００７】
また、喉頭鏡や内視鏡は一度使用した後、他の患者に使用するために必ず消毒をしなければならない。喉頭鏡や内視鏡の消毒に多くの時間と費用が入り、消毒が不十分である場合には、他の患者の病気に感染する心配もある。
【発明の概要】
【発明が解決しようとする課題】
【０００８】
本発明は、喉頭鏡や内視鏡を使用して挿管を行う場合に発生する前記のような問題点を解決するためのものである。
【０００９】
本発明は、施術者が単独で容易に挿管を行うことができる挿管装置を提供することを目的とする。
【００１０】
また、本発明は喉頭鏡を使用して挿管を行う場合、挿管による患者に対する感染を防止することができる、価格が手頃な使い捨て挿管装置を提供することを目的とする。
【課題を解決するための手段】
【００１１】
本発明に係る使い捨て挿管装置は、挿管チューブと挿管チューブの中空に挿入され、挿管チューブの挿管を容易にするための中空のガイドチューブを含む。挿管チューブは、開放された両端部を有する中空のチューブであり、一端部に前記中空にガスを供給するための外部機器と接続するためのアダプターが固定されている。ガイドチューブは開放された第１端部及び第２端部を有し、前記挿管チューブに挿入され、第２端部が前記アダプターの外側に露出されるように配置されており、前記挿管チューブより長く、直径が小さい。
【００１２】
本発明に係る使い捨て挿管装置は、挿管チューブのアダプターと取り外し可能に接続されてあるガイドチューブを利用して、挿管チューブの挿管を容易にするためのレセプタクルを含む。レセプタクルは中空のシリンダー形状で、一端が開放され、前記アダプターと分離可能に結合されており、他端の中心部に前記ガイドチューブの第２端部が通過して露出されるように配置されている。
【００１３】
また、本発明に係る使い捨て挿管装置は、ガイドチューブを口腔内に挿入するとき、声帯と気管支を施術者が識別できるようにガイドチューブの第１端部に設置されたレンズと、レンズの後方に設置されたカメラモジュールを含む。カメラモジュールにはＬＥＤランプが含まれている。カメラモジュールは、ＵＳＢケーブルで接続されており、ＵＳＢケーブル端子はガイドチューブの第２端部に露出するように配置されている。レンズはガイドチューブの第１端部側の末端部にガイドチューブの中空を密封するように設置されている。
【００１４】
また、本発明に係る使い捨て挿管装置において、前記ガイドチューブは、第１端部を一定の角度以上に曲げる場合、曲がった形を維持することができる程度の炭素性を備える素材で構成されている。例えば適切な直径と厚さを有するアルミニウム合金パイプや、適切な直径の鋼線ワイヤーを含む合成樹脂パイプを使用することができる。ガイドチューブは挿管前に、患者の状態に応じて第１端部を適切な角度で曲げて使用する。例えば、３０度〜９０度の範囲で炭素性を持つようにガイドチューブを製造することができる。
【００１５】
いくつかの実施例において、本発明に係る使い捨て挿管装置は、挿管後ガイドチューブを容易に除去するために、前記のガイドチューブの第２端部側に固定されたハンドルをさらに含むことができる。
【００１６】
いくつかの実施例において、本発明に係る使い捨て挿管装置の患者の口腔内にある異物を除去するためにレセプタクルは外周面に中空の内部と連通するように突出形成されたサクションニップルをさらに含むことができる。
【００１７】
いくつかの実施例において、本発明に係る使い捨て挿管装置のＵＳＢ端子をスマートフォン、スマートパッド、ポータブルコンピュータなどに接続した場合、口腔内の映像をスマートフォンなどのデバイスのディスプレイに表示されるようにすることができる。したがって、一般人も簡単なトレーニングを受ければ使い捨て挿管装置を用いて、ディスプレイに表示される映像を確認しながら、安全かつ迅速に救急患者に挿管をして救急患者の気道を確保することができる。
【発明の効果】
【００１８】
本発明に係る使い捨て挿管装置は、末端にカメラが備えられたガイドチューブを用いて、ディスプレイに表示される口腔内の映像を確認しながら、迅速かつ安全に患者に挿管を行うことができる。また、本発明に係る挿管装置は、ガイドチューブを備えており、喉頭鏡を使用する必要がない。喉頭鏡を消毒して再使用しないので、 喉頭鏡の消毒不良による感染の危険性がない。特に、本発明に係る挿管装置は使い捨てなので、再利用のための消毒が必要なく、使いやすく感染の危険性がなくて衛生的である。
【図面の簡単な説明】
【００１９】
【図１】は本発明に係る使い捨て挿管装置の一実施形態の斜視図
【００２０】
【図２】は挿管チューブの斜視図
【００２１】
【図３】はガイドチューブ組立体の斜視図
【００２２】
【図４】は挿管ガイドチューブ組立体の拡大断面図
【００２３】
【図５】はレセプタクルの断面図
【符号の説明】
【００２４】
１００：挿管チューブ
１１０：通気チューブ
１２０：アダプター
１３０：バルーン
１４０：ソケット
２００：ガイドチューブ組立体
２１０：ガイドチューブ
２３０：レセプタクル
２４０：ハンドル
【発明を実施するための形態】
【００２５】
以下では、添付の図面を参照して、本発明の好適な実施例について詳細に説明する。
【００２６】
図１を参照すると、本実施例の使い捨て挿管装置は、挿管チューブ１００と挿管チューブの中空に挿入されて挿管チューブの挿管を容易にするためのガイドチューブ組立体２００を含む。
【００２７】
図２を参照すると、挿管チューブ１００は、開放された両端部を有する中空の通気チューブ１１０と、通気チューブ１１０の一端部に固定されて前記中空にガスを供給するための外部機器と接続するためのアダプター１２０を含む。通気チューブ１１０は、ポリエチレン、ポリプロピレンなどの柔軟な半硬質プラスチックで製造される。また、通気チューブ１１０の他端には、バルーン１３０が形成されており、バルーン１３０に空気を注入するためのソケット１４０が接続されている。ソケット１４０には、注射器を接続してバルーン１３０に空気を供給する。バルーン１３０は、挿管が完了した後、膨張させて人工呼吸時に肺に供給された空気が外部に流出することを防止する。アダプター１２０は、挿管が行われた後、人工呼吸器などのデバイスに接続されて通気チューブ１１０に空気を供給することになる。アダプター１２０は、通気チューブ１１０よりも大きい直径を有する連結部１２１との 連結部１２１の境界を定めるためのカラー（Ｃｏｌｌａｒ）１２１を備える。
【００２８】
図３を参照すると、ガイドチューブ組立体２００は、ガイドチューブ２１０、レセプタクル２３０とハンドル２４０とを含む。ガイドチューブ２１０は、開放された第１端部及び第２端部を有し、前記挿管チューブ１００の通気チューブ１１０に挿入されて、第２端部がアダプター１２０の外側に露出されるように配置されている。ガイドチューブ２１０は、挿管チューブ１００よりも長く、直径が小さい。ガイドチューブ２１０は、挿管チューブ１００の中空に挿入されて挿管チューブ１００の挿管を容易にするためのものである。
【００２９】
図１及び図５を参照すると、レセプタクル２３０は、中空のシリンダー形状で、一端が開放されてアダプター１２０と分離可能に結合されている。レセプタクル２３０の他端には、キャップ２３５が固定されており、キャップ２３５の中心部にガイドチューブ２１０の第２端部が通過して露出するように配置されている。レセプタクル２３０は、挿管チューブ１００のアダプター１２０と分離可能に接続されて挿管チューブ１００の挿管が完了した場合には、ガイドチューブ２１０と一緒に挿管チューブ１００から分離されて除去される。
【００３０】
挿管の完了後レセプタクル２３０とガイドチューブ２１０が挿管チューブ１００から除去されると、アダプター１２０には、人工呼吸器が接続される。レセプタクル２３０の外周面には、中空の内部２３１と連通するように突出形成されたセクションニップル２３２が形成されている。サクションニップル２３２は、真空配管を接続して、患者の口腔内にある異物を除去するために使用される。また、レセプタクル２３０に真空配管を接続するときは、ユーザーがレセプタクル２３０をとるためのハンドル２４０が外周面に形成されている。
【００３１】
ガイドチューブ２１０は第１端部を一定の角度以上に曲げる場合、曲がる形を維持することができる程度の炭素性を備える素材で作ることが望ましい。例えば適切な直径と厚さを有するアルミニウム合金パイプや、適切な直径の鋼線ワイヤーを含む合成樹脂パイプを使用することができる。例えば、３０度〜９０度の範囲で炭素性を有するようにガイドチューブを製造することができる。ガイドチューブ２１０は、挿管チューブ１００を患者の口腔内に挿入する前に、患者の状態に応じて端部を適切な角度で曲げ気管支への挿入を容易にすることができる。
【００３２】
また、ハンドル２４０は、ガイドチューブ２１０の第２端部側に固定されていて、挿管チューブ１００の挿管が完了した後、ハンドル２４０を引いてガイドチューブ２１０とレセプタクル２３０を容易に除去することができる。
【００３３】
図４を参照すると、本発明に係る使い捨て挿管装置は、ガイドチューブ２１０を口腔内に挿入するとき、声帯と気管支を施術者が識別できるように画像取得のための映像モジュール２５０を含む。映像モジュール２５０は、レンズ２５１と、カメラモジュール２５２とＵＳＢケーブル２５３とＵＳＢケーブル端子２５４を含む。レンズ２５１は、ガイドチューブ２１０の一端にガイドチューブ２１０を密封するように設置されて中空の内部に異物が入ってくるのを防止する。カメラモジュール２５２は、レンズ２５１の後方にあるガイドチューブの中空に設置されている。また、カメラモジュール２５２は、ＬＥＤランプ（未図示）が通常含まれている。カメラモジュール２５２はＵＳＢケーブル２５３に接続されており、ＵＳＢケーブル端子２５４はガイドチューブ２１０の第２端部に露出するように配置されている。ガイドチューブ２１０の第１端部は拡管されており、拡管された部分にカメラモジュール２５２が挿入されている。拡管された部分にカメラモジュール２５２を設置すれば、カメラモジュール２５２がガイドチューブ２１０内で流動することを防止し、安全に装着することができる。
【００３４】
本発明に係る使い捨て挿管装置のＵＳＢケーブル端子２５４をスマートフォンに接続すると、スマートフォンのアプリ（ＡＰＰ）が動作して、カメラモジュールのＬＥＤを点け、口腔内部の映像をスマートフォンのディスプレイに表示されるようにすることができる。したがって、本発明に係る挿管装置は、一般人も簡単なトレーニングを受ければディスプレイに表示される映像を確認しながら、安全かつ迅速に救急患者に挿管をして救急患者の気道を確保することができる。
【図１】
2019509115.tif 000003
【図２】
2019509115.tif 000004
【図３】
2019509115.tif 000005
【図４】
2019509115.tif 000006
【図５】
2019509115.tif 000007
【国際調査報告】
2019509115.tif 000008
2019509115.tif 000009
2019509115.tif 000010
2019509115.tif 000011